(57)【要約】      （修正有）【課題】石膏ボード製の天井への取り付けが容易で、大きい脱落反力が確保されて掛止許容重量を高めることができ、取り外した後の痕跡が小さく抑えられる天井止着フックを提供する。【解決手段】天井止着フックは、天井６下面６ａに当接するベース部２０と、これに連設された掛止部２１とを備えるフック本体２と、ベース部２０の取付孔２２に下から嵌合され頂面が天井６下面６ａに臨む嵌合頭部３１と、取付孔２２の周縁に係合するフランジ部３０と、フランジ部３０から下向きに突設した突部とを備え、突部から嵌合頭部３１の頂面にかけて相互干渉を回避する傾斜と方向性を有して複数の針孔を形成したフック本体保持部材３と、各針孔に下側から挿通して天井６に刺し込まれて、フック本体２を天井６下面６ａに止着する複数の止着針４とを備える。【選択図】図１１
0003184273.tif 000002
【実用新案登録請求の範囲】
【請求項１】
取付孔が貫通形成されて天井下面に当接するベース部と、このベース部から下向きに連設された掛止部とを備えるフック本体と、
前記取付孔に下側から着脱可能に嵌合されて頂面が天井下面に臨む嵌合頭部と、取付孔への嵌合頭部の嵌合時に前記ベース部の取付孔周縁に係合してフック本体を保持するフランジ部と、このフランジ部に下向きに突設された突部とを備え、当該突部から嵌合頭部の頂面にかけて相互干渉を回避する傾斜と方向性を有して斜めに上向く複数の針孔が貫通形成されたフック本体保持部材と、
前記複数の針孔を下側から各別に挿通して天井に刺し込まれて、フック本体保持部材を介してフック本体を天井下面に止着する頭部付き止着針と、を備えてなることを特徴とする天井止着フック。
【請求項２】
請求項１に記載した天井止着フックにおいて、
前記フック本体保持部材の突部とフランジ部に着脱可能に被せられて、これら双方を覆うキャップを備えている天井止着フック。
【考案の詳細な説明】
【技術分野】
【０００１】
本考案は、天井止着フックに係り、詳しくは、主として石膏ボード製の天井への取り付けが容易であり、かつ、大きい脱落反力が確保されて掛止許容重量を高めることができるとともに、取り外した後の痕跡は無視できる程度に小さく抑えられる天井止着フックに関する。
【背景技術】
【０００２】
従来の天井止着フックとして、たとえば、天井に釘を打ち込んで止着する釘止め式や、フックの上部に設けたネジ部を天井にネジ込んで止着したりフックのベース部を木螺子によって天井に止着するネジ止め式のものが知られている。
【先行技術文献】
【特許文献】
【０００３】
【特許文献１】特になし
【考案の概要】
【考案が解決しようとする課題】
【０００４】
前記従来の釘止め式の天井止着フックは、天井に対して鉛直上向きまたは略鉛直上向きに釘が打ち込まれることで取り付けられ、ネジ止め式の天井止着フックは、天井に対して鉛直上向きまたは略鉛直上向きにフック上部のネジ部あるいは別途用意した木螺子がベース部の取付孔を貫通して天井にねじ込まれることで取り付けられる。
【０００５】
釘止め式の天井止着フックの場合、天井に対してハンマーで釘を打ち込む作業は、鉛直な壁面に対する釘の打ち込み作業と比較して若干高度な技能が要求される。このため、素人が釘を打ち込むと、釘の折れ曲がりやフックあるいはベース部などの釘以外の部材を誤って打圧する事態が生じ易く、適正な打ち込み作業が困難である。ところで、天井が木製であると、釘が打ち込まれることによって拡径した部位には、木材の特性により縮径方向の反力が発生して釘を締め付けるので、優れた止着力が得られる。したがって、たとえ、天井に対して鉛直上向きまたは略鉛直上向きに釘が打ち込まれていても、優れた止着力により保証される大きい脱落反力が確保されて、掛止許容重量を高めることができる。ところが、近年多用されている石膏ボード製の天井では、釘が打ち込まれることによって拡径した部位に発生する縮径方向の反力は、木材よりも若干小さいので天井に対する止着力が劣る。このため、脱落反力が小さくなって掛止許容重量が低い値に制限される。
【０００６】
一方、ネジ止め式の天井止着フックは、釘止め式の天井止着フックよりも優れた止着力が得られる。このため、木製天井あるいは石膏ボード製天井の如何を問わず大きい脱落反力を確保できる。したがって、釘止め式の天井止着フックよりも掛止許容重量を高めることができる。しかし、天井に対する前記フック上部のネジ部あるいは木螺子のねじ込み作業は相当に困難であるため、取付作業性に劣る。さらに、釘止め式およびネジ止め式の双方とも、これらを取り外した後の天井に釘孔やネジ孔などの大きい痕跡が残る欠点を有する。
【０００７】
本考案は、このような問題を解決するものであって、その目的とするところは、主として石膏ボード製の天井への取り付けが容易であり、かつ、大きい脱落反力が確保されて掛止許容重量を高めることができるとともに、取り外した後の痕跡は無視できる程度に小さく抑えられる天井止着フックを提供することにある。
【課題を解決するための手段】
【０００８】
前記目的を達成するために、本考案に係る天井止着フックは、取付孔が貫通形成されて天井下面に当接するベース部と、このベース部から下向きに連設された掛止部とを備えるフック本体と、
前記取付孔に下側から着脱可能に嵌合されて頂面が天井下面に臨む嵌合頭部と、取付孔への嵌合頭部の嵌合時に前記ベース部の取付孔周縁に係合してフック本体を保持するフランジ部と、このフランジ部に下向きに突設された突部とを備え、当該突部から嵌合頭部の頂面にかけて相互干渉を回避する傾斜と方向性を有して斜めに上向く複数の針孔が貫通形成されたフック本体保持部材と、
前記複数の針孔を下側から各別に挿通して天井に刺し込まれて、フック本体保持部材を介してフック本体を天井下面に止着する頭部付き止着針と、を備えてなることを特徴としている。
【０００９】
前記構成の天井止着フックは、主として、石膏ボード製の天井への取り付けに適用される。当該天井止着フックは、天井下面の所定位置にフック本体のベース部をあてがって、ベース部の取付孔に下側からフック本体保持部材の嵌合頭部を嵌合し、その頂面を天井下面に臨ませるとともに、フランジ部をベース部の取付孔周縁に係合させることで、フック本体保持部材によりフック本体を天井下面の所定位置に位置決め保持する。この状態で複数の頭部付き止着針を各別に突部側から各針孔に各止着針の頭部が突部に当接するまで挿入すれば、各頭部付き止着針の先端側が天井に刺し込まれ、フック本体保持部材を介してフック本体を天井下面に容易に止着できる。つまり、天井への天井止着フックの取り付けが容易になされる。掛止物は、その上端部を掛止部に適宜掛止することで天井止着フックに掛止される。
【００１０】
天井止着フックが主として適用される石膏ボード製の天井は、頭部付き止着針が刺し込まれることで拡径する部位が発生する。この部位の縮径方向の反力は小さいものの、複数の止着針が相互干渉を回避する傾斜と方向性を有して斜め上向きに天井に刺し込まれることにより、鉛直下向きの脱落に抗する大きい脱落反力が確保されて、天井止着フックの掛止許容重量を高めることができる。一方、フック本体保持部材を介してフック本体が天井下面に止着されている状態で、各頭部付き止着針それぞれの頭部をニッパーなどの工具類で掴んで斜め下向きに引き抜くことで、天井下面から天井止着フックを容易に取り外すことができ、天井止着フックが取り外された後の天井下面には、止着針の痕跡をとどめるものの、その孔径は無視し得る程度の極小であることにより問題にはならない。
【００１１】
天井止着フックは、フック本体保持部材の突部とフランジ部に着脱可能に被せられて、これら双方を覆うキャップを備えている。これによれば、天井下面への天井止着フック止着後に、キャップを突部とフランジ部の双方に被せてこれらを覆うことにより、突部および各止着針それぞれの頭部を隠蔽して、天井止着フックの外観を向上させることが可能となる。
【考案の効果】
【００１２】
本考案に係る天井止着フックによれば、天井への取り付けが容易であり、かつ、大きい脱落反力が確保されて掛止許容重量を高めることができるとともに、取り外した後の痕跡は無視できる程度に小さく抑えることができる。
【図面の簡単な説明】
【００１３】
【図１】本考案に係る天井止着フックの一実施形態を天井に止着して示す正面図である。
【図２】図１の天井止着フックの底面図である。
【図３】図１のフック本体の底面図である。
【図４】フック本体保持部材の一実施形態を拡大して示す正面図である。
【図５】図４の平面図である。
【図６】図４の底面図である。
【図７】止着針の一実施形態を拡大して示す説明図である。
【図８】キャップの一実施形態を示す半截側面図である。
【図９】図８の平面図である。
【図１０】フック本体保持部材によりフック本体を天井下面に位置決め保持した状態を拡大して示す側面図である。
【図１１】複数の止着針により一対のフック本体保持部材を介して天井止着フックを天井下面に止着した状態を拡大して示す側面図である。
【考案を実施するための形態】
【実施例】
【００１４】
図１は本考案に係る天井止着フックの一実施形態を天井に止着して示す正面図、図２は図１の天井止着フックの底面図、図３は図１のフック本体の底面図、図４はフック本体保持部材の一実施形態を拡大して示す正面図、図５は図４の平面図、図６は図４の底面図、図７は止着針の一実施形態を拡大して示す説明図、図８はキャップの一実施形態を示す半截側面図、図９はキャップの一実施形態を示す平面図である。
図１および図２において、天井止着フック１は、ステンレス鋼板からなるフック本体２と、ＡＢＳ樹脂によって成形された２個のフック本体保持部材３と、ステンレス鋼線によって構成された６本の頭部付き止着針（ただし、図１には、３本の止着針のみが示されている）４およびポリエチレン樹脂によって成形されたキャップ５とを備える。なお、本考案に係る天井止着フック１は、フック本体２、２個のフック本体保持部材３、６本の頭部付き止着針４およびキャップ５を１セットにまとめた状態で出荷または販売される。
【００１５】
図１〜図３に示すように、フック本体２は、小判形のベース部２０と、このベース部２０の長手方向の中央部において短手方向一方側から下向きに連設され、その下端部が上向きに反転して、ベース部２０の長手方向の中央部における短手方向他方側の近くまでのびるとともに、後述する掛止物の上端部が適宜掛止される帯状の掛止部２１とを備え、ベース部２０には、短手方向の中心を通って長手方向にのびる軸線Ｃと、長手方向の中心を通って軸線Ｃに直交して短手方向にのびる軸線Ｃ１との交点Ｐから、等間隔を隔てて振り分けた軸線Ｃ上の２つの位置のそれぞれに円形の取付孔２２が貫通形成されている。
【００１６】
図１，図２，図４〜図６に示すように、一対のフック本体保持部材３は、それぞれ、投影平面形状が略正方形を呈するフランジ部３０と、フランジ部３０の中心から上向きに突設された嵌合頭部３１と、フランジ部３０の中心から下向きに突設された突部３２とを備えており、嵌合頭部３１は、前記フック本体２におけるベース部２０に貫通形成されている円形の取付孔２２に下側から着脱可能に嵌合可能な中実円盤状のもので、フランジ部３０の上面から頂面３１ａまでの高さは、取付孔２２の深さよりも僅かに小さく、つまり、ベース部２０の板厚よりも僅かに小さく設定されている。
【００１７】
前記突部３２は、上側の円柱部３３と下側の截頭円錐部３４とを備え、截頭円錐部３４のテーパー面から嵌合頭部３１の頂面３１ａにかけて、円周方向等間隔で、かつ相互干渉を回避する傾斜と方向性を有して斜めに上向く３つの針孔３５が貫通形成されている。
【００１８】
図１および図７に示すように、各頭部付き止着針４は、前記針孔３５への挿脱が可能で尖った先端を有する長寸の軸部４０の基端に、針孔３５の孔径よりも少し大きい直径を有する薄肉円形の頭部４１を形成したものである。
【００１９】
図８，図９に示すように、キャップ５は、投影平面形状が小判形を呈する底部５０の周囲に周壁５１を立ち上げた皿状のもので、底部５０の上面には一対の円形環状壁５２を突設してあり、図１，図２に示すように、一対のフック本体保持部材３に対してキャップ５を下側から押し付けることで、底部５０と一対の円形環状壁５２とが各フック本体保持部材３の突部３２に着脱可能に被せられるとともに、底部５０と周壁５１とが各フランジ部３０に着脱可能に被せられて、突部３２とフランジ部３０の双方を覆うように構成されている。
【００２０】
前記構成の天井止着フック１は、まず、図１０に示すように、石膏ボード製の天井６下面６ａの所定位置に，フック本体２のベース部２０をあてがって、ベース部２０の各取付孔２２に下側からフック本体保持部材３の嵌合頭部３１を嵌合し、その頂面３１ａを天井６の下面６ａに臨ませるとともに、各フランジ部３０をベース部２０の各取付孔２２の周縁に係合させ、各フランジ部３０を指先等で上向きに押し付けることで、一対のフック本体保持部材３によりフック本体２を天井６下面６ａの所定位置に位置決め保持する。
【００２１】
つぎに、６本の頭部付き止着針４を各別に突部３２側から各針孔３５に頭部４１が截頭円錐部３４の表面に当接するまで挿入すれば、図１，図１１に示すように、各頭部付き止着針４における軸部４０の先端側が天井６に刺し込まれ、一対のフック本体保持部材３を介してフック本体２を天井６の下面６ａに容易に止着できる。つまり、天井６への天井止着フック１の取り付けが容易になされる。図示していない          などの掛止物は、その上端部を掛止部２１に適宜掛止することで天井止着フック１に掛止される。
【００２２】
石膏ボード製の天井６は、各頭部付き止着針４における軸部４０の先端側が刺し込まれることで拡径する部位が発生する。この部位の縮径方向の反力は小さいものの、各止着針４が相互干渉を回避する傾斜と方向性を有して斜め上向きに天井６に刺し込まれることにより、鉛直下向きの脱落に抗する大きい脱落反力が確保されて、天井止着フック１の掛止許容重量を高めることができる。一方、一対のフック本体保持部材３を介してフック本体２が天井６下面６ａに止着されている状態で、各頭部付き止着針４それぞれの頭部４１をニッパーなどの工具類で掴んで斜め下向きに引き抜くことで、天井６下面６ａから天井止着フック１を容易に取り外すことができる。天井止着フック１が取り外された後の天井６下面６ａには、各止着針４の痕跡をとどめるものの、その孔径は無視し得る程度の極小であることにより問題にはならない。
【００２３】
図１１のように、天井６下面６ａへの天井止着フック１の止着後に、図１，図２に示すように、キャップ５を各突部３２と各フランジ部３０の双方に被せてこれらを覆うことにより、各突部３２および各止着針４それぞれの頭部４１を隠蔽して、天井止着フック１の外観を向上させることが可能となる。なお、各突部３２および各止着針４それぞれの頭部４１を隠蔽しているキャップ５は、周壁５１を適宜摘んで引き上げることにより、スムーズにフック本体２から離脱させることができる。つまり、本考案に係る天井止着フック１は、フック本体２に対するキャップ５のスムーズな着脱が可能である。
【産業上の利用可能性】
【００２４】
本考案に係る天井止着フックは、石膏ボード製の天井下面に止着され、たとえば観葉植物、モビール、のれん、インテリア小物、蚊帳などの掛止物の掛止に有用である。
【符号の説明】
【００２５】
１  天井止着フック
２  フック本体
３  フック本体保持部材
４  頭部付き止着針
５  キャップ
６  天井
６ａ  天井の下面
２０  ベース部
２１  掛止部
２２  取付孔
３０  フランジ部
３１  嵌合頭部
３１ａ  嵌合頭部の頂面
３２  突部
３５  針孔
【図１】
0003184273.tif 000003
【図２】
0003184273.tif 000004
【図３】
0003184273.tif 000005
【図４】
0003184273.tif 000006
【図５】
0003184273.tif 000007
【図６】
0003184273.tif 000008
【図７】
0003184273.tif 000009
【図８】
0003184273.tif 000010
【図９】
0003184273.tif 000011
【図１０】
0003184273.tif 000012
【図１１】
0003184273.tif 000013